【手続補正書】
【提出日】平成25年1月24日(2013.1.24)
【手続補正１】
【補正対象書類名】特許請求の範囲
【補正対象項目名】全文
【補正方法】変更
【補正の内容】
【特許請求の範囲】
【請求項１】
位置情報の提供が許可された各ユーザ端末から当該ユーザ端末の位置情報を受信するとともに何れかの端末からの友だち追加に関するリクエストを受信する受信部と、
前記ユーザ端末の位置情報に基づいて予め設定された距離内に存在し、位置情報の提供が許可された少なくとも１つの他のユーザ端末を確認するユーザ端末確認部と、
前記他のユーザ端末のユーザ情報を確認して前記ユーザ端末に送信するユーザ情報送信部と、
前記ユーザ端末において前記他のユーザ端末のユーザ情報が選択される場合、前記ユーザ端末と前記他のユーザ端末のユーザ間の関係を設定する関係設定部と、
を備えることを特徴とするソーシャルネットワークサービス提供システム。
【請求項２】
前記位置情報は、前記ユーザ端末にインストールされたアプリケーションの設定に応じて提供許可の有無が決定されることを特徴とする請求項１に記載のソーシャルネットワークサービス提供システム。
【請求項３】
前記友だち追加に関するリクエストは、前記ユーザ端末にインストールされたアプリケーションの制御によって前記ユーザ端末から送信されることを特徴とする請求項１に記載のソーシャルネットワークサービス提供システム。
【請求項４】
前記距離は地図の縮尺程度に応じて予め設定され、
前記地図は、前記ユーザ端末にインストールされたアプリケーションによって前記ユーザ端末のディスプレイに表示され、
前記受信部は、前記ユーザ端末から前記地図の縮尺程度に関する情報をさらに受信し、
前記ユーザ端末確認部は、前記縮尺程度に関する情報を用いて前記距離を設定することを特徴とする請求項１に記載のソーシャルネットワークサービス提供システム。
【請求項５】
前記他のユーザ端末のユーザ情報は、前記ユーザ端末にインストールされたアプリケーションによって距離に応じて順次前記ユーザ端末のディスプレイに表示され、
前記ディスプレイには、地図及び前記地図上で移動する表示線がさらに表示され、
前記他のユーザ端末のユーザ情報は、前記ユーザ端末の位置と前記他のユーザ端末の位置による距離及び前記表示線の前記地図上における位置に基づいて前記地図上に表示されることを特徴とする請求項１に記載のソーシャルネットワークサービス提供システム。
【請求項６】
前記関係設定部は、前記ユーザ端末のユーザ情報と前記他のユーザ端末のユーザ情報とを互いに関連付けて格納することによって前記関係を設定することを特徴とする請求項１に記載のソーシャルネットワークサービス提供システム。
【請求項７】
各ユーザ端末から当該ユーザ端末の位置情報を受信するとともに何れかの端末からの友だち追加に関するリクエストを受信する受信部と、
前記ユーザ端末の位置情報に基づいて予め設定された距離内に存在し、前記友だち追加に関するリクエストを送信した少なくとも１つの他のユーザ端末を確認するユーザ端末確認部と、
前記他のユーザ端末のユーザ情報を確認して前記ユーザ端末に送信するユーザ情報送信部と、
前記ユーザ端末において前記他のユーザ端末のユーザ情報が選択される場合、前記ユーザ端末と前記他のユーザ端末のユーザ間の関係を設定する関係設定部と、
を備えることを特徴とするソーシャルネットワークサービス提供システム。
【請求項８】
前記友だち追加に関するリクエストは、前記ユーザ端末のディスプレイ上の予め設定された領域がタッチされる場合に発生し、
前記予め設定された領域は、前記ユーザ端末にインストールされたアプリケーションの制御によって前記ディスプレイ上に表示され、
前記予め設定された領域の中心は前記ユーザ端末の位置に対応し、
前記他のユーザ端末のユーザ情報は、前記位置を基準として前記位置と前記他のユーザ端末の位置との間の距離に応じて前記ユーザ端末のディスプレイに表示されることを特徴とする請求項７に記載のソーシャルネットワークサービス提供システム。
【請求項９】
前記関係設定部は、前記他のユーザ端末のユーザ情報が前記ディスプレイに表示されて前記予め設定された領域が再びタッチされる場合、表示された全てのユーザ情報にかかるユーザと前記ユーザ端末のユーザ間の関係を設定することを特徴とする請求項８に記載のソーシャルネットワークサービス提供システム。
【請求項１０】
前記距離は、前記ユーザ端末のユーザが前記ユーザ端末にインストールされたアプリケーションによって設定した距離を含み、
前記受信部は、前記ユーザ端末から前記アプリケーションによって設定された距離に関する情報をさらに受信することを特徴とする請求項７に記載のソーシャルネットワークサービス提供システム。
【請求項１１】
前記関係設定部は、前記ユーザ端末のユーザ情報と前記他のユーザ端末のユーザ情報とを互いに関連付けて格納することによって前記関係を設定することを特徴とする請求項７に記載のソーシャルネットワークサービス提供システム。
【請求項１２】
無線通信を介して複数のユーザ端末と通信可能なサーバコンピュータを、
各ユーザ端末から当該ユーザ端末の位置情報を受信するとともに何れかの端末からの友だち追加に関するリクエストを受信する受信部、
前記リクエスト送信元ユーザ端末の位置情報に基づいて予め設定された距離内に存在し、前記友だち追加に関するリクエストを送信した少なくとも１つの他のユーザ端末を確認するユーザ端末確認部、
前記他のユーザ端末のユーザ情報を確認して前記リクエスト送信元ユーザ端末へ送信するユーザ情報送信部、及び
前記リクエスト送信元ユーザ端末において前記他のユーザ端末のユーザ情報が選択される場合、前記リクエスト送信元ユーザ端末と前記他のユーザ端末のユーザ間の友だち関係を設定する関係設定部
として機能させるソーシャルネットワークサービス提供プログラム。
【請求項１３】
無線通信を介してサーバに接続可能であって、タッチパネルが重ねられたディスプレイ及び位置検出装置を備えたユーザ端末にインストールされ、当該ユーザ端末に、
前記位置検出装置によって検出された当該ユーザ端末の位置情報を前記サーバへ送信させ、
友だち追加に関するリクエストを前記サーバへ送信させ、
前記リクエストに応じて前記サーバが応答してきた当該ユーザ端末から所定距離内に存在する他のユーザ端末のユーザ情報を前記ディスプレイに表示させ、
前記ディスプレイに表示された他のユーザ端末のユーザ情報の何れかが選択された場合に、当該ユーザ端末とタッチされたユーザ情報に対応した他のユーザ端末のユーザ間の関係設定のリクエストを当該ユーザ端末を前記サーバへ送信させる
ソーシャルネットワークサービスアプリケーションプログラム。
【請求項１４】
第１ユーザ端末及び第２ユーザ端末からそれぞれの友だち追加に関するリクエストを受信する受信部と、
前記第１ユーザ端末及び前記第２ユーザ端末のユーザ間の関係を設定する関係設定部と、
を備え、
前記友だち追加に関するリクエストは、前記第１ユーザ端末と前記第２ユーザ端末とを互いにぶつける動作によって発生することを特徴とするソーシャルネットワークサービス提供システム。
【請求項１５】
前記友だち追加に関するリクエストは、前記第１ユーザ端末のディスプレイ上の予め設定された第１領域と前記第２ユーザ端末のディスプレイ上の予め設定された第２領域とがそれぞれタッチされた状態で前記第１ユーザ端末と前記第２ユーザ端末とを互いにぶつける動作によって発生することを特徴とする請求項１４に記載のソーシャルネットワークサービス提供システム。
【請求項１６】
前記第１領域は、前記第１ユーザ端末にインストールされた第１アプリケーションにおいて友だち追加モードが設定される場合、前記第１アプリケーションによって活性化され、
前記第２領域は、前記第２ユーザ端末にインストールされた第２アプリケーションにおいて友だち追加モードが設定された場合、前記第２アプリケーションによって活性化されることを特徴とする請求項１５に記載のソーシャルネットワークサービス提供システム。
【請求項１７】
前記第１領域及び前記第２領域は、前記第１ユーザ端末及び前記第２ユーザ端末それぞれのディスプレイ上に表示される友だち追加領域がタッチされた後に活性化され、
前記の友だち追加領域は、前記第１ユーザ端末及び前記第２ユーザ端末それぞれにインストールされたアプリケーションの制御によって前記ディスプレイ上に表示されることを特徴とする請求項１５に記載のソーシャルネットワークサービス提供システム。
【請求項１８】
前記第１領域及び前記第２領域は、前記第１ユーザ端末及び前記第２ユーザ端末それぞれにインストールされたアプリケーションが駆動される場合に活性化されることを特徴とする請求項１５に記載のソーシャルネットワークサービス提供システム。
【請求項１９】
前記関係が設定される場合、前記第１ユーザ端末に前記第２ユーザ端末のユーザ情報を提供したり、または前記第２ユーザ端末に前記第１ユーザ端末のユーザ情報を提供したりするユーザ情報提供部をさらに備えることを特徴とする請求項１４に記載のソーシャルネットワークサービス提供システム。
【請求項２０】
インストールされたアプリケーションの制御に応じて動作するユーザ端末が行う関係設定方法において、
友だち追加に関するリクエスト及び位置情報をサーバに送信し、
前記サーバから他のユーザ端末のユーザ情報を受信し、
前記ユーザ情報をディスプレイに表示すること、
を含み、
前記他のユーザ端末は、前記送信された位置情報による位置から予め設定された距離内に存在する他のユーザ端末のうち、位置情報の提供が許可された少なくとも１つの他のユーザ端末を含み、
前記送信することは、
前記表示されたユーザ情報のうちユーザによって選択されたユーザ情報を前記サーバにさらに送信し、
前記サーバで前記ユーザと前記送信されたユーザ情報によるユーザ間に関係が設定されることを特徴とする関係設定方法。
【請求項２１】
インストールされたアプリケーションの制御に応じて動作するユーザ端末が行う関係設定方法において、
友だち追加に関するリクエスト及び位置情報をサーバに送信し、
前記サーバから他のユーザ端末のユーザ情報を受信し、
前記ユーザ情報をディスプレイに表示すること、
を含み、
前記他のユーザ端末は、前記送信された位置情報による位置から予め設定された距離内に存在する他のユーザ端末のうち、前記の友だち追加に関するリクエストを送信した少なくとも１つの他のユーザ端末を含み、
前記送信することは、
前記表示されたユーザ情報のうちユーザによって選択されたユーザ情報を前記サーバにさらに送信し、
前記サーバで前記ユーザと前記送信されたユーザ情報によるユーザ間に関係が設定されることを特徴とする関係設定方法。
【請求項２２】
前記友だち追加に関するリクエストは、前記ディスプレイ上の予め設定された領域がタッチされる場合に発生し、
前記表示することは、前記アプリケーションの制御によって前記ディスプレイ上に前記予め設定された領域をさらに表示し、
前記予め設定された領域の中心は前記位置情報による位置に対応し、
前記表示することは、前記位置を基準として前記位置と前記他のユーザ端末の位置との間の距離に基づいて前記ディスプレイに前記他のユーザ端末のユーザ情報を表示することを特徴とする請求項２１に記載の関係設定方法。
【請求項２３】
前記他のユーザ端末のユーザ情報が前記ディスプレイに表示されて前記予め設定された領域が再びタッチされる場合、前記ディスプレイに表示された全てのユーザ情報によるユーザと前記ユーザとの間の関係が前記サーバで設定されることを特徴とする請求項２２に記載の関係設定方法。
【請求項２４】
インストールされたアプリケーションの制御に応じて動作するユーザ端末が行う関係設定方法において、
他のユーザ端末と互いにぶつける動作を感知し、
前記感知の結果に基づいて友だち追加に関するリクエストをサーバに送信すること、
を含み、
前記の友だち追加に関するリクエストと前記他のユーザ端末からの友だち追加に関するリクエストに応じて、前記サーバにおいてユーザ端末と前記他のユーザ端末のユーザ間に関係が設定されることを特徴とする関係設定方法。
【請求項２５】
前記友だち追加に関するリクエストは、前記アプリケーションの制御に応じてディスプレイに設定された領域がタッチされた状態で前記他のユーザ端末に互いにぶつける動作が感知される場合に発生することを特徴とする請求項２４に記載の関係設定方法。
【請求項２６】
前記領域は、ユーザの入力によって前記アプリケーションにおいて友だち追加モードが設定される場合、前記アプリケーションによって活性化されることを特徴とする請求項２５に記載の関係設定方法。
【請求項２７】
前記領域は、前記ディスプレイ上に表示される友だち追加領域がタッチされた後に活性化され、
前記の友だち追加領域は、前記アプリケーションの制御によって前記ディスプレイ上に表示されることを特徴とする請求項２５に記載の関係設定方法。
【請求項２８】
前記領域は、前記アプリケーションが駆動される場合に活性化されることを特徴とする請求項２５に記載の関係設定方法。
【請求項２９】
請求項２４の方法を行うプログラムを記録したコンピュータで読み出し可能な記録媒体。